(57)【特許請求の範囲】
【請求項１】
複写装置のキャリッジの駆動機構に用いるワイヤロープにおいて、前記ワイヤロープは、数本の素線を撚り合わせた単撚り構造のストランドを、数本撚り合わせた複撚りの構造のロープ形態で、かつ、前記ストランドを撚合構成したロープ本体の外周の前記ストランドの隣接間のスパイラル状の凹条溝、及び、前記ロープ本体の横断内部に生ずる前記ストランドの隣接間のスパイラル状の内部空隙条に、鉄の硬質金属物質、又は、ガラス、セラミック、アルミナの非金属硬質物質の微粒子の介在物を装填し、さらに、前記ロープ本体の外周に樹脂被覆を施して前記介在物を密封状態とし、伸び変形を少量化することを特徴とする複写装置のキャリッジ駆動機構用ワイヤロープ。
【発明の詳細な説明】
【０００１】
【発明の属する技術分野】
本発明は、機械装置の操作力伝達要素、または、荷重吊り下げ部材等として広く使用されるワイヤロープに関するものである。
【０００２】
【従来の技術】
ワイヤロープは、数本の素線を撚り合せてロープ形態にした単撚り構造のものと、その単撚り構造のストランドを数本撚り合せた複撚り構造の２種類の基本構造を有し、可撓性に優れる動力伝達要素・ロープとして広く使用されている。
【０００３】
【発明が解決しようとする課題】
以上の従来のワイヤロープは前記の単撚り・複撚り構造のいずれも個個にスパイラル状をなすストランドの撚合集成形態のため、引張り荷重や曲げ荷重によって弾性伸び・永久伸びの伸び変形（断熱収縮）し易い定性があり、この伸び変形・断面収縮を忌避する機械要素としての適性に欠けると共に、ロープ外周には「撚合された前記ストランドの隣接間にスパイラル状の凹条溝」が幾筋も存在して外周平滑性に欠ける。
【０００４】
従って、例えば特開昭６２ー２４６７６４号・実公平５ー４０６０９号公報に例示される複写装置において、高頻度にスライド移動と停止を反復作動して「高精度の停止位置機能と作動振動・作動騒音を生じない高性能作動」が要求されるキャリッジの騒動機構にワイヤロープを用いると「ワイヤロープの永久伸び等によるキャリッジの停止位置の精度低下」と「外周の非平滑性・外周の偏摩耗」による作動振動・作動騒音を生ずると共に、使用可能寿命が短い不具合がある。
【０００５】
なお、補足すれば、前記の外周平滑性を補う対策としてロープ外周に軟質の樹脂被覆を施しても、加熱溶融状態でロープ本体外周にコーティングされた樹脂材が常温冷却されて収縮すると、前記の凹条溝に喰い込んで凹凸形態のロープ外周となる。従って、プーリー車等に巻き掛けて高荷重・高速で作動させると作動騒音・作業振動を生ずると共に、外周の偏摩耗をもたらし前記の不具合は解消し得ない。本発明は、以上の従来技術の難点を解消するワイヤロープを提供するものである。
【０００６】
【課題を解決するための手段】
以上の技術課題を解決する本発明のワイヤロープは「複写装置のキャリッジの駆動機構に用いるワイヤロープにおいて、前記ワイヤロープは、数本の素線を撚り合わせた単撚り構造のストランドを、数本撚り合わせた複撚りの構造のロープ形態で、かつ、前記ストランドを撚合構成したロープ本体の外周の前記ストランドの隣接間のスパイラル状の凹条溝、及び、前記ロープ本体の横断内部に生ずる前記ストランドの隣接間のスパイラル状の内部空隙条に、鉄の硬質金属物質の微粒子の介在物を装填し、さらに、前記ロープ本体の外周に樹脂被覆を施して前記介在物を密封状態とし、伸び変形を少量化することを特徴とする」構成を採用した。
【０００７】
即ち、本発明のワイヤロープは、ロープ本体の外周に多条に存在する前記凹条溝に前記諸物質の介在物を装填し、その上に樹脂被覆を施して該介在物を密封状態にすることによって、ワイヤロープ荷重に基づく個個の前記ストランドの動きを若干拘束して、それ等の個個の伸び変形を抑止すると共に、その介在物によってロープ外周の平滑性を確保して可撓性真円バー体として機能させることを思想としている。
【０００８】
そして、前記介在物は、鉄等の硬質金属物質またはガラス・セラミックス・アルミナ等の非金属硬質物質の微粒子・粉体が主として用いられる。そして、前記ロープ本体の横断内部に生ずる前記ストランドの隣接間のスパイラル状の内部空隙条に、鉄の硬質金属物質、又は、ガラス、セラミック、アルミナの非金属硬質物質の微粒子の介在物を装填し、さらに、前記ロープ本体の外周に樹脂被覆を施して前記介在物を密封状態とする。
【０００９】
【作用】
前記の基本構成からなる本発明のワイヤロープは、前記ストランドを撚合したロープ本体外周の前記ストランド間空隙のスパイラル状の凹条溝が、介在物によって埋め込まれるのでロープ本体の外周に存在する前記ストランドは、ワイヤロープ荷重による個個の動きが若干抑止され、その抑止作用によって前記ストランドの個別伸び変形・個別曲げ変形が少量化する。従って、ワイヤロープとしての可撓性が若干阻害されるものの、ワイヤロープ全体の伸び変形とそれによる断面の収縮変形は、従来のワイヤロープより少量化する。
【００１０】
さらに、前記の前記ストランドの個別変位の抑止によって、スパイラル形状の前記ストランドの個個の伸び変形が少くなるので、前記ストランドのそれぞれの「伸び変形に基づく捩り応力」が低下すると共に、その凹条溝を埋め込む介在物の存在によってロープ本体外周が平滑になって可撓性真円バー体として機能する。従って、前記例示の複写装置のキャリッジの駆動機構に用いると、作動振動・作動騒音が極めて少く、かつ、キャリッジの停止位置精度が高品質に長期間安定した高性能ワイヤロープとして機能する。
【００１１】
さらに、ロープ本体の内部の前記ストランド間の内部空隙条を介在物によって埋め込む前記態様のワイヤロープは、介在物存在による前記の作用がロープ本体内部にも及ぶので、前記の伸び変形・断面収縮低下と耐久性向上の作用が一段と顕著になる。
【００１２】
【発明の実施の形態】
以下、図面を参照して本発明の実施形態を説明する。まず、第一実施形態を示す図１参照、この実施形態のワイヤロープ１は、７本の素線２を撚合したストランド３Ａ、３Ｂを撚合集成した公知の「７×７」の複撚り構造のものにして、１本の芯ストランド３Ａの外周に６本の側ストランド３Ｂが撚合されて単体のロープ本体４が構成されている。
【００１３】
そして、このロープ本体４の外周に存在する６本の側ストランド３Ｂ間のスパイラル状の凹条溝５に「硬質粉体の介在物６」が装填され、さらに、その外周に樹脂被覆７（ナイロン１２の被覆）を設け、この樹脂被覆７によって装填状態の介在物６を凹条溝５に封じ込めた構造を有している。なお、この実施形態の介在物６は鉄粉等の金属質硬質粉体、または、ガラス・セラミックス等の非金属質硬質粉体のいずれかが選択的に用いられる。
【００１４】
以上の実施形態のワイヤロープ１は、前記の作用があり、同一撚り構成・同一サイズの従来品と本実施形態品との「永久伸び変形」と「ワイヤロープ耐久性」の対比実験結果は「ワイヤロープ破断に至るまでの永久伸びは、本実施形態のものが従来品より約７％少く」かつ「１２５kgf／cm2の高応力曲げ作動での破断に至るまでの耐久性は、「本実施形態のものが従来品より約１５〜２０％向上」となり、前記の特有作用が明白に存在した。
【００１５】
続いて、図２を参照して本発明の他の実施形態のワイヤロープ１を説明する。即ち、この図２に示すものは、図１実施形態と同様の撚り構成のロープ本体４に、ロープ本体４外周の凹条溝５に金属質硬質粉体の介在物６を装填して樹脂被覆７で包み込んだものにおいて、ロープ本体４の内部に存在するストランド３Ａ・３Ｂ間のスパイラル状の内部空隙条８にも凹条溝５と同一の介在物６が装填されている。この図２形態のワイヤロープ１は凹条溝５と内部空隙条８のいずれにも介在物６が装填されるので、介在物６の存在による前記の作用が一段と顕著になる。
【００１６】
続いて、図３を参照して本発明の他の実施形態のワイヤロープ１を説明する。即ち、この図３のものは素線２を撚合したロープ本体４からなる単撚り構成のワイヤロープにして、ロープ本体４の外周に存在する「素線２間のスパイラル状の凹条溝５」に前記実施形態と同一の介在物６が装填されている。この単撚り構成のものも介在物６による前記の作用が存在する。
【００１７】
なお、介在物６の凹条溝５等への充填手段は、撚合加工直前のストランド３Ａ、３Ｂに介在物６となる物質を静電着または吹き付けしたり、或は、その物質を充填したボックスを撚合ダイスの直前に設置し、そのボックス体を強制通過させることによってストランド３Ａ、３Ｂの外周に付着セットしてそのまま撚合したり、或は、被覆加工直前のロープ本体４の凹条溝５に以上と同様な手段によって付与装填する等の方法による。
【００１８】
以上の実施形態に例示した本発明のワイヤロープは、介在物６を存在させることによって、可撓性を若干犠牲にした上「伸び変形の少量化」と「耐久性向上」を図る技術意図からなるので、介在物６が硬質であれば「可撓性の阻害度が大にして、かつ、伸び変形少量化と耐久性向上が大になる」、介在物６が軟質であれば「可撓性の阻害度が小にして、かつ、伸び変形少量化と耐久性向上が小になる」定性相関性がある。従って、介在物６の性状・物質は、ワイヤロープとしての可撓性・伸び変形・耐久性の機械的性質の調和を考量して選定採択すれば良く、前記例示のもの以外に、銅・亜鉛等の軟質金属や炭酸カルシウム・滑石等の軟質非金属物質でもよく、凹条溝５・内部空隙条８に装填加工できる粉状・微粒状または粘性物のいずれの性状であっても良い。
【００１９】
【発明の効果】
以上の説明のとおり、本発明のワイヤロープは、使用荷重に基づく伸び変形が少く、かつ、外周平滑性に優れるので、前記例示の複写装置のキャリッジ作動用ワイヤロープとして用いると、キャリッジの停止精度の低下がなく作動騒音・作動振動が少い高品質作動が長期間安定持続できる。そして、伸び変形や外周偏摩耗を厳に忌避する精密機械や測定機器等の機械要素として極めて有用に利用可能であり、例えば「測定装置のＸ−Ｙレコーダーのレコード用ペンの作動用ロープ」として使用すると、ペン先の振動がないので極めて正確なグラフ・図形等がレコードされ、レコーダー品質が一段と向上する。
【図面の簡単な説明】
【図１】本発明第一実施形態のワイヤロープの横断面図
【図２】本発明の他の実施形態のワイヤロープの横断面図
【図３】本発明の他の実施形態のワイヤロープの横断面図
【符号の説明】
１  ワイヤロープ
２  素線
３Ａ、３Ｂ  ストランド
４  ロープ本体
５  凹条溝
６  介在物
７  樹脂被覆
８  内部空隙条
【図１】
0004313867.tif 000002
【図２】
0004313867.tif 000003
【図３】
0004313867.tif 000004